(57)【特許請求の範囲】
【請求項１】
記憶媒体が接続される接続部と、
原稿を読み取る読取部と、
前記読取部が読み取った前記原稿の画像データを、前記記憶媒体に記憶させる記憶制御部と、
前記読取部によって読み取られた後の原稿が存在するか検知する検知部と、
前記検知部が前記原稿の存在を検知している状態、かつ、前記記憶媒体が前記接続部に接続されている状態から前記記憶媒体が前記接続部から取り外されている状態へ変化したか否かを判断する判断部と、
前記検知部が前記原稿の存在を検知している状態、かつ、前記記憶媒体が前記接続部に接続されている状態から前記記憶媒体が前記接続部から取り外されている状態へ変化したと前記判断部が判断する場合に、前記原稿を取り除くことを勧告する勧告処理を実行する実行部とを備えることを特徴とする読取装置。
【請求項２】
記憶媒体が接続される接続部と、
原稿を読み取る読取部と、
前記読取部が読み取った前記原稿の画像データを、前記記憶媒体に記憶させる記憶制御部と、
前記読取部によって読み取られる前の前記原稿が存在するか検知する第１検知部と、
前記読取部によって読み取られた後の前記原稿が存在するか検知する第２検知部と、
前記第１検知部が前記原稿の存在を検知している状態、かつ、前記接続部に前記記憶媒体が接続されている状態か否かを判断する判断部と、
前記第１検知部が前記原稿の存在を検知している状態、かつ、前記接続部に前記記憶媒体が接続されている状態と前記判断部が判断する場合に、前記読取部によって読み取られた後の前記原稿を取り除くことを勧告する勧告処理を実行し、前記読取部によって読み取られた後の前記原稿の存在を前記第２検知部が検知しなくなった場合、前記勧告処理を終了する実行部とを備えることを特徴とする読取装置。
【請求項３】
前記原稿を取り除く旨の表示を行う表示部を備え、
前記実行部は、前記勧告処理として、前記表示部による表示により勧告することを特徴とする請求項１又は請求項２に記載の読取装置。
【請求項４】
前記原稿を取り除く旨の音を発する発音部を備え、
前記実行部は、前記勧告処理として、前記発音部から発する音により勧告することを特徴とする請求項１又は請求項２に記載の読取装置。
【請求項５】
前記接続部から前記記憶媒体を取り外すことを規制する規制部を備え、
前記実行部は、前記勧告処理として、前記規制部により前記記憶媒体の取り外しを規制し、前記規制部により前記記憶媒体の取り外しが規制された後、前記第２検知部が前記原稿の存在を検知しない場合、前記規制部により前記記憶媒体の取り外しを規制する処理を終了することを特徴とする請求項２に記載の読取装置。
【請求項６】
前記原稿を搬送する搬送部と、
前記搬送部に搬送される前記原稿を載置する載置部と、
前記実行部は、前記読取部によって前記原稿が読み取られる前に、前記載置部から原稿が取り除かれた場合には、前記勧告処理を終了することを特徴とする請求項１〜５のいずれかに記載の読取装置。
【発明の詳細な説明】
【技術分野】
【０００１】
本発明は、原稿の画像を読み取る読取装置に関する。
【背景技術】
【０００２】
従来、読取部から入力された画像情報を記憶媒体に書き込むスキャナモードを有する画像処理装置が開示されている。
【先行技術文献】
【特許文献】
【０００３】
【特許文献１】特開２００２−２１８１３４号公報
【発明の概要】
【発明が解決しようとする課題】
【０００４】
しかしながら、読取部から入力された画像情報を記憶媒体に書き込む場合、画像情報を記憶媒体に書き込むことが目的であるために、読取部で読み取った原稿が取り除かれず、かつ、読取部から入力された画像情報を書き込む記憶媒体が読取装置に接続されている場合に、ユーザは読取部で読み取った原稿を取り忘れることが多かった。
そこで、本発明は、読取部で読み取った原稿が取り除かれず、かつ、読取部から入力された画像情報を書き込む記憶媒体が読取装置に接続されている場合に、原稿の取り忘れを防止する技術を提供する。
【課題を解決するための手段】
【０００５】
この目的を達成するために、本発明の読取装置は、記憶媒体が接続される接続部と、接続部に記憶媒体が接続されているか判断する判断部と、原稿を読み取る読取部と、読取部によって読み取られた後の原稿が存在するか検知する検知部と、検知部が原稿の存在することを検知し、かつ、判断部が接続部に記憶媒体が接続されている、あるいは、前記接続部に接続された前記記憶媒体が前記接続部から取り外されたと判断する場合に、原稿を取り除くことを勧告する勧告処理を実行する実行部と、を備えることを特徴とする。ここでいう勧告処理とは、メッセージを表示すること、警報音で報知すること、及び、記憶媒体を接続部にロックすることをいう。
このように構成された読取装置によれば、原稿の取り忘れに気づきやすくなり、原稿の取り忘れを防止することができる。
【０００６】
また、読取部によって読み取られる前の原稿を載置する載置部と、読取部によって読み取られる前の原稿が存在するか判定するする判定部と、を備え、実行部は、載置部に原稿が存在すると判定部が判定し、かつ、判断部が接続部に記憶媒体が接続されていると判断する場合に、勧告処理の実行を開始するようにしてもよい。
このように構成された読取装置によれば、読取装置に原稿が存在する間は勧告処理が実行されることなり、ユーザの利便性が増す。
【０００７】
また、実行部は、読取部によって原稿が読み取られる前に、載置部から原稿が取り除かれた場合には、勧告処理の実行を終了するようにしてもよい。
このように構成された読取装置によれば、不必要な勧告処理を実行しないよう勧告処理を終了することとなり、ユーザの利便性が増す。
【０００８】
また、原稿を覆い、開状態と閉状態とをとる被覆部を備え、実行部は、読取部によって原稿が読み取られた後、被覆部が開状態となった場合に、勧告処理の実行を終了するようにしてもよい。
このように構成された読取装置によれば、ユーザが被覆部を開状態にした場合、不必要な勧告処理の実行をしないよう勧告処理を終了することとなり、ユーザの利便性が増す。
【０００９】
また、原稿を取り除く旨の表示を行う表示部を備え、実行部は、検知部が原稿の存在を検知し、かつ、判断部が接続部に記憶媒体が接続されている場合、勧告処理として、表示部により視覚的に勧告する処理を実行するようにしてもよい。
このように構成された読取装置によれば、表示部に原稿を取り除く旨の表示がされていると、原稿の取りを取り除いていないことを理解しやすくなり、原稿の取り忘れを防止することができる。
【００１０】
また、原稿を取り除く旨の音を発する発音部を備え、実行部は、検知部が原稿の存在を検知し、かつ、接続部に接続されている記憶媒体が接続部から取り外されたと判断する場合に、勧告処理として、発音部により音を介して勧告する処理を実行するようにしてもよい。
このように構成された読取装置によれば、発音部により原稿を取り除く旨が音を介して勧告されていると、発音部により勧告されている原因が、原稿の取りを取り除いていないことにあると気づきやすくなり、原稿の取り忘れを防止することができる。
【００１１】
この目的を達成するために、本発明の別の読取装置は、記憶媒体が接続される接続部と、接続部に記憶媒体が接続されているか判断する判断部と、原稿を読み取る読取部と、読取部に読み取られた原稿の画像データがセキュリティ情報を有するか判別する判別部と、判別部が原稿の画像データにセキュリティ情報を有すると判別した場合に、原稿を取り除くことを勧告する勧告処理を実行する実行部と、を備えることを特徴とする。
このように構成された別の読取装置によれば、原稿の画像データがセキュリティ情報を有する場合に原稿の取り忘れに気づきやすくなり、原稿の取り忘れを防止することができる。
【００１２】
また、接続部から記憶媒体を取り外すことを規制する規制部を備え、実行部は、勧告処理として、規制部により記憶媒体の取り外しを規制する処理を行うようにしてもよい。
このように構成された別の読取装置によれば、ユーザが接続部から記憶媒体を取り外そうとしたときに、接続部と記憶媒体とが固定されていると、接続部から記憶媒体を取り外せない原因が、原稿を取り除いていないことにあると気づきやすくなり、原稿の取り忘れを防止することができる。
【００１３】
また、読取部によって読み取られた後の原稿が存在するか検知する検知部を備え、実行部は、規制部により記憶媒体の取り外しが規制された後、検知部が原稿の存在しないことを検知した場合、規制部により記憶媒体の取り外しを規制する処理を終了するようにしてもよい。
このように構成された別の読取装置によれば、ユーザが原稿を取り除いているときは規制部により記憶媒体の取り外しを規制しなくなり、ユーザの利便性が増す。
【００１４】
また、判別部は、読取部によって読み取られた原稿の画像データにアクセス制限がある場合、又は、特定のパターンがある場合の少なくとも一方であるときに、セキュリティ情報を有すると判別するようにしてもよい。
このように構成された別の読取装置によれば、原稿を取り忘れることにより重要度の高い情報が流出する可能性がある重要度の高い原稿の取り忘れに気づきやすくなり、ユーザの利便性が増す。
【発明の効果】
【００１５】
本発明の読取装置によれば、検知部が原稿の存在を検知し、かつ、判断部が接続部に記憶媒体が接続されている、あるいは、接続部に接続された記憶媒体が接続部から取り外されたと判断する場合に、実行部が原稿を取り除くことを勧告する勧告処理を実行するので、原稿の取り忘れに気づきやすくなり、原稿の取り忘れを防止することができる。
【００１６】
また、本発明の別の読取装置によれば、判別部が原稿の画像データにセキュリティ情報を有すると判別した場合に、原稿を取り除くことを勧告する勧告処理を実行する実行部するので、原稿の画像データがセキュリティ情報を有する場合に原稿の取り忘れに気づきやすくなり、原稿の取り忘れを防止することができる。
【図面の簡単な説明】
【００１７】
【図１】本発明を適用した複合機の外観を表す斜視図である。
【図２】その複合機の読取カバーを開いた状態の外観を表す斜視図である。
【図３】その複合機の読取カバー及び原稿読取部の構成を表す断面図である。
【図４】その複合機の電気的構成を表すブロック図である。
【図５】本発明の原稿取り忘れ防止処理の流れを表すフローチャートである。
【図６】第１のＡＤＦ原稿取り忘れ防止処理の流れを表すフローチャートである。
【図７】表示部に表示される原稿取り忘れ防止のメッセージの一例である。
【図８】ＦＢ原稿取り忘れ防止処理の流れを表すフローチャートである。
【図９】表示部に表示される次の原稿の有無を確認するメッセージの一例である。
【図１０】第２のＡＤＦ原稿取り忘れ防止処理の流れを表すフローチャートである。
【図１１】ＵＳＢメモリのコネクタ部の構成を示す斜視図である。
【図１２】複合機のコネクタ部の構成を示す断面図である。
【図１３】ＵＳＢメモリのコネクタ部と複合機のコネクタ部との結合状態を示す断面図である。
【発明を実施するための形態】
【００１８】
（第１の実施形態）
図１は、本発明を適用した複合機１の外観を表す斜視図であり（本発明の閉状態の一例）、図２は、複合機１に設けられた読取カバー１２（本発明の被覆部の一例）を開いた上体（本発明の開状態の一例）の外観を表す斜視図である。なお、この複合機１は、少なくとも、イメージスキャナ、プリンタ、コピー、ファクシミリとしての機能を備えたものである。
【００１９】
複合機１は、画像が形成（以下、印刷ともいう）される用紙を給紙する用紙トレー１７と、用紙トレー１７から供給された用紙に画像を形成する本体１０と、本体１０の上面を完全に覆うように、本体１０に開閉可能に支持された読取カバー１２（本発明の被覆部の一例）と、を備えている。
【００２０】
本体１０は、原稿１９（図２参照）に記載された画像を読み取る（以下、原稿１９を読み取るともいう）原稿読取部４０（本発明の読取部の一例、図３参照）と、用紙に画像を形成する画像形成部２と、複合機１を使用する際に必要な情報を使用者が入力する操作部１４と、を備えている。そして、原稿読取部４０、画像形成部２は、本体ケース１１内に収納されている。
【００２１】
また、画像形成部２は、原稿読取部４０で光学的に読み取られた画像信号もしくはＰＣ等の外部装置から取り込んだ電子データに基づいて、周知の帯電―露光―現像―転写―定着の電子写真プロセスによって記録用紙上に画像が形成される。
【００２２】
また、本体ケース１１は、原稿読取部４０に読み取られる原稿１９を配置する読取面１１Ａ（図２参照）と、画像形成部２で印刷された用紙が排出される用紙排出部７と、を有している。そして、読取面１１Ａは、ガラス等の光を透過する素材によって形成された板材であり、読取カバー１２と相対する本体ケース１１の上面に固定されている。
【００２３】
また、操作部１４は、複数の機能のうち使用者が望む機能を選択するための動作選択キー１４Ａと、使用者が選択した機能を実行するためのスタートキー１４Ｂと、複合機１の状態やメッセージ等を表示するための表示部１５（本発明の表示部の一例）と、その表示部１５にメニューを表示するためのメニューキー１４Ｃと、そのメニューを操作するための十字キー１４Ｄと、各種動作をキャンセルするためのキャンセルキー１４Ｅと、を備えている。
【００２４】
動作選択キー１４Ａは、複合機１に備えられた各機能の中から、使用者が使用したい機能を選択するためのものであり、具体的には、コピー機能を選択するためのコピーキーや、ファクシミリ機能を選択するためのファクシミリキー、スキャナ機能を選択するためのスキャナキー等が設けられている。なお、使用者が動作選択キーを操作することによって使用者が望む機能が選択されると、選択された機能に対応する画面やキーの役割付け等が行われ、これによって、操作部１４が提供する操作環境の切り替えが行われる。
【００２５】
次に、図３は、読取カバー１２及び原稿読取部４０の構成を表す概略断面図である。図３に示すように、読取カバー１２は、原稿読取部４０に読み取られる前の原稿１９を載置する載置部２１（本発明の載置部の一例）と、原稿読取部４０に読み取られた後の原稿１９を集積する集積部３１と、載置部２１から読取面１１Ａを経由して（すなわち、原稿自動搬送読取位置３で保持された原稿読取部４０に原稿１９を読み取らせた後）集積部３１へと原稿１９を搬送する搬送部２５と、を備えている。以下、載置部２１、集積部３１、搬送部２５を総称して原稿自動搬送装置５（以下、ＡＤＦとも表記する）とする。
【００２６】
また、図３に示すように、原稿読取部４０は、原稿１９に対して光を照射する光源４３と、原稿１９によって反射された反射光を集光するミラー及びレンズ等の光学素子群４２と、原稿１９から画像を読み取るためのイメージセンサ４１と、を備えている。つまり、原稿読取部４０は、光源４３から光を照射し、原稿１９によって反射された反射光を光学素子群４２によって集光し、集光された反射光をイメージセンサ４１によって認識することにより原稿１９を読み取るように構成されている。
【００２７】
更に、原稿読取部４０は、原稿自動搬送読取位置３と対面する位置において、原稿１９の読み取りが可能であり、かつ、図示しない原稿読取部駆動機構により、読取面１１Ａに沿った本体ケース１１の長手方向（図３の左右方向）への移動が可能に構成されている。
【００２８】
つまり、原稿自動搬送装置５を用いて原稿１９の読み取りを行う際には、原稿読取部４０を、原稿自動搬送読取位置３に対面する位置に保持し、原稿自動搬送装置５によって搬送される原稿１９から、その原稿１９の全画像を読み取る。また、読取面１１Ａを覆うように配置された原稿１９の読み取りを行う（いわゆる、フラットベッド（以下、ＦＢとも表記する）型として使用する）際には、原稿読取部４０は、公知の原稿読取部駆動機構によって移動されながら、読取面１１Ａに配置された原稿１９の全画像を読み取る。
【００２９】
次に、載置部２１には、その載置部２１に原稿１９が載置されていることを検知する載置部検知センサ２４（本発明の判定部の一例）が配置されている。載置部検知センサ２４は、発光部２４Ａと受光部２４Ｂからなる光センサである。そして、発光部２４Ａと受光部２４Ｂは、載置部２１に載置された原稿１９によって、発光部２４Ａから受光部２４Ｂに向かう光が遮られるように対向配置されている。
【００３０】
次に、カバー検知センサ３５は、本体ケース１１内の原稿読取部４０が移動する移動経路から外れた位置に受光部３５Ｂが配置され、読取カバー１２内に発光部３５Ａが配置されている。つまり、カバー検知センサ３５は、読取カバー１２が閉じられた際に、発光部３５Ａから照射された光を受光部３５Ｂが受光するように構成されており、発光部３５Ａから照射された光を受光部３５Ｂが受光していない場合を読取カバー１２の開いた状態と検知し、発光部３５Ａから照射された光を受光部３５Ｂが受光していない場合を読取カバー１２の閉じた状態とを検知している。
【００３１】
次に、集積部３１には、その集積部３１に原稿１９が集積されていることを検知する集積部検知センサ３６（本発明の検知部の一例）が配置されている。集積部検知センサ３６は、発光部３６Ａと受光部３６Ｂからなる光センサである。そして、発光部３６Ａと受光部３６Ｂは、集積部３１に載置された原稿１９によって、発光部３６Ａから受光部３６Ｂに向かう光が遮られるように対向配置されている。
【００３２】
（複合機の電気的構成）
次に、図４は、複合機１の電気的構成を示すブロック図である。複合機１には、パーソナルコンピュータ等の外部機器やネットワーク（図示せず）に接続するためのネットワークインタフェース（ネットワークＩ／Ｆ）１０８と、電話回線に接続するためのファクシミリインタフェース（ファクシミリＩ／Ｆ）１０４と、データを読み書き可能な携帯型記憶媒体のであるＵＳＢメモリ８０（本発明の記憶媒体の一例）と、ＵＳＢメモリ８０が着脱される接続部９０（本発明の接続部の一例）と、接続部９０にＵＳＢメモリ８０が挿入されていることを検知する接続検知部９５と、複合機１の様々な駆動を制御するための処理プログラムを記憶するＲＯＭ１０１と、処理結果等を一時的に記憶する内蔵型記憶媒体の一例としてのＲＡＭ１０２と、ＲＯＭ１０１に記憶された処理プログラムを実行するＣＰＵ１０３（本発明の判断部、実行部、判別部の一例）と、ＲＯＭ１０１に記憶された警報音を処理プログラムに従って報知するスピーカー１６（本発明の発音部の一例）と、が備えられている。
更に、前述の原稿読取部４０、画像形成部２、操作部１４、表示部１５、載置部検知センサ２４、カバー検知センサ３５、集積部検知センサ３６が接続されている。
【００３３】
接続部９０は、ＵＳＢメモリ８０が装着されると、ＵＳＢメモリ８０に対し通電するように構成されていると共に、ＵＳＢメモリ８０が装着されたことを検知する接続検知部９５を備えている。なお、ＵＳＢメモリ８０に記憶されるデータとしては、ＪＰＥＧ、ＴＩＦＦ等の汎用的な画像フォーマットを持つファイルや、一般的なワープロソフトにより作成されたものやＰＤＦ形式等の文書ファイル、プリンタドライバが出力した印刷データをファイル化したものなど、種々の形態がある。
【００３４】
（原稿取り忘れ防止処理）
図５は、本発明の原稿取り忘れ防止処理の流れを表すフローチャートである。図５を参照しながら、原稿取り忘れ防止処理について説明する。尚、原稿取り忘れ防止処理は、ユーザが動作選択キー１４Ａによりスキャナ機能を選択した場合に、ＣＰＵ１０３がＲＯＭ１０１より処理プログラムを読み出すことにより開始される。
【００３５】
まず、ＣＰＵ１０３は、ＵＳＢメモリ８０が接続部９０に挿入されているか判断し（Ｓ１０１）、ＵＳＢメモリ８０が接続部９０に挿入されていると判断した場合には（Ｓ１０１：ＹＥＳ）、「ｓｃａｎ  ｔｏ  ＵＳＢ」の要求があるかを判断する（Ｓ１０２）。ここで、「ｓｃａｎ  ｔｏ  ＵＳＢ」とは、原稿読取部４０が原稿１９から読み取った画像データをＵＳＢメモリ８０に記憶させる処理をいう。
【００３６】
具体的には、ユーザがＵＳＢメモリ８０を接続部９０に挿入すると、ＣＰＵ１０３は、接続検知部９５を介して、接続部９０にＵＳＢメモリ８０が挿入されていることを検知し、ＵＳＢメモリ８０が接続部９０に挿入されていると判断する。また、ＣＰＵ１０３は、ユーザがメニューキー１４Ｃと十字キー１４Ｄとを操作し、表示部１５に表示される複数の階層からなるメニューから「ｓｃａｎ  ｔｏ  ＵＳＢ」を選択すると、「ｓｃａｎ  ｔｏ  ＵＳＢ」の要求があると判断する。
【００３７】
次に、ＣＰＵ１０３は、「ｓｃａｎ  ｔｏ  ＵＳＢ」が要求されていると判断した場合（Ｓ１０２：ＹＥＳ）、載置部検知センサ２４により載置部２１に原稿１９が載置されているか判断し（Ｓ１０３）、載置部２１に原稿１９が載置されていると判断した場合（Ｓ１０３：ＹＥＳ）、ＡＤＦ原稿取り忘れ防止処理を実行して（Ｓ１０４）、原稿取り忘れ防止処理を終了する。尚、ＡＤＦ原稿取り忘れ防止処理については、後述にて詳細に説明する。
【００３８】
一方、ＣＰＵ１０３は、原稿自動搬送装置５の載置部２１に原稿１９が載置されていないと判断した場合（Ｓ１０３：ＮＯ）、カバー検知センサ３５により図２に示すように読取カバー１２が一度開状態でなったか判断し（Ｓ１０５）、読取カバー１２が一度開状態になったと判断した場合は（Ｓ１０５：ＹＥＳ）、読取面１１Ａに原稿１９が配置されているとみなして、後述にて詳細に説明するＦＢ原稿取り忘れ防止処理を実行し（Ｓ１０６）、原稿取り忘れ防止処理を終了する。
【００３９】
尚、ＣＰＵ１０３は、「ｓｃａｎ  ｔｏ  ＵＳＢ」が要求されていると判断した場合（Ｓ１０２：ＹＥＳ）であって、原稿自動搬送装置５の載置部２１に原稿が載置されていないと判断した場合（Ｓ１０３：ＮＯ）、かつ読取カバー１２が閉じた状態のままであると判断した場合（Ｓ１０５：ＮＯ）は、原稿１９が載置部２１に載置されるか（Ｓ１０３:ＹＥＳ）、又は読取カバー１２が開いた状態であると判断されるまで（Ｓ１０５：ＹＥＳ）、Ｓ１０３とＳ１０５との判断を繰り返す。
【００４０】
また、ＵＳＢメモリ８０が接続部９０に挿入されていない場合（Ｓ１０１：ＮＯ）、又は「ｓｃａｎ  ｔｏ  ＵＳＢ」が要求されていない場合（Ｓ１０２：ＮＯ）は、原稿取り忘れ防止処理を終了する。
【００４１】
（第１のＡＤＦ原稿取り忘れ防止処理）
図６は、第１のＡＤＦ原稿取り忘れ防止処理の流れを表すフローチャートである。図６と図７とを参照しながら、第１のＡＤＦ原稿取り忘れ防止処理について説明する。
【００４２】
まず、ＣＰＵ１０３は、図７に示す「ＵＳＢメモリを取り除く前に原稿を取り除いて下さい」というメッセージを表示部１５に表示させ（本発明の勧告処理の一例、Ｓ２０１）、原稿１９を原稿読取部４０に読み取らせるための開始を指示する開始指示があったか判断する（Ｓ２０２）。具体的には、ユーザがスタートキー１４Ｂを押下すると、ＣＰＵ１０３は、開始指示があったと判断する。
【００４３】
次に、開始指示があったと判断した場合（Ｓ２０２：ＹＥＳ）、ＣＰＵ１０３は、載置部２１に載置された原稿１９の全部を原稿読取部４０に読み取らせ、原稿読取部４０に読み取らせた画像データをＵＳＢメモリ８０に記憶させる全書き込み処理を行う（Ｓ２０３）。
【００４４】
一方、ＣＰＵ１０３は、開始指示がなかったと判断した場合（Ｓ２０２：ＮＯ）、載置部２１に原稿１９があるか判断し（Ｓ２１０）、載置部２１に原稿１９があると判断した場合には（Ｓ２１０：ＹＥＳ）、Ｓ２０２に戻る。そして、開始指示があったと判断した場合（Ｓ２０２：ＹＥＳ）か、載置部２１に原稿１９がないと判断した場合（Ｓ２１０：ＮＯ）まで、Ｓ２０２とＳ２１０との判断を繰り返すことで待機する。
【００４５】
尚、ＣＰＵ１０３は、載置部２１にある原稿１９が取り除かれたと判断した場合（Ｓ２１０：ＮＯ）、原稿取り忘れ防止の表示を終了し（Ｓ２０９）、ＡＤＦ原稿取り忘れ防止処理を終了する。Ｓ２０１で表示させたメッセージの表示が終了するので、余計なメッセージの表示によりユーザが惑わされることがなくなり、ユーザの利便性が増す。
【００４６】
Ｓ２０３に続いて、ＣＰＵ１０３は、集積部検知センサ３６により集積部３１に排紙された原稿１９があるか判断し（Ｓ２０４）、集積部３１に排紙された原稿１９があると判断した場合には（Ｓ２０４：ＹＥＳ）、接続部１６からＵＳＢメモリ８０が取り外されたか判断し（Ｓ２０５）、接続部１６からＵＳＢメモリ８０が取り外されたと判断した場合（Ｓ２０５：ＹＥＳ）、集積部３１にある原稿１９の取り忘れを警報音で報知を開始する（本発明の勧告処理の一例、Ｓ２０６）。
【００４７】
具体的には、ユーザが集積部３１の原稿１９が取り除かないまま、接続部１６からＵＳＢメモリ８０を取り外してしまうと、ユーザは、ＵＳＢメモリ８０を持ち帰ることに意識が集中してしまうため、集積部３１にある原稿１９のことを忘れがちになる。このため、ユーザが集積部３１にある原稿１９を取り除かないまま、接続部１６からＵＳＢメモリ８０が取り外してしまった場合は、ユーザが集積部３１にある原稿１９のことを忘れる可能性が高いので、集積部３１にある原稿１９の取り忘れをスピーカー１６により警報音で報知することで、ユーザに対して原稿１９の取り忘れを注意喚起する。
【００４８】
尚、ＣＰＵ１０３は、接続部１６からＵＳＢメモリ８０が取り外されていないと判断した場合（Ｓ２０５：ＮＯ）、Ｓ２０４に戻り、集積部３１に排紙された原稿１９が取り除かれずに、接続部１６からＵＳＢメモリ８０だけが取り外されないよう監視している。
【００４９】
Ｓ２０６に続いて、ＣＰＵ１０３は、集積部３１に排紙された原稿１９があるか判断し（Ｓ２０７）、集積部３１に排紙された原稿１９がないと判断した場合には（Ｓ２０７：ＮＯ）、集積部３１に排紙された原稿１９の取り忘れがあることを警報音の報知を終了させる（Ｓ２０８）とともに、原稿取り忘れ防止の表示を終了し（Ｓ２０９）、ＡＤＦ原稿取り忘れ防止処理を終了する。一方、ＣＰＵ１０３は、集積部３１に排紙された原稿１９があると判断した場合には（Ｓ２０７：ＹＥＳ）、集積部３１に排紙された原稿１９がないと判断するまで（Ｓ２０７：ＮＯ）、集積部３１にある原稿１９の取り忘れを警報音で報知を継続する。
【００５０】
また、ＣＰＵ１０３は、集積部３１に排紙された原稿１９が取り除かれていると判断した場合には（Ｓ２０４：ＮＯ）、原稿取り忘れ防止の表示を終了し（Ｓ２１０）、ＡＤＦ原稿取り忘れ防止処理を終了する。つまり、原稿取り忘れ防止の表示がユーザに原稿１９を持ち帰ることを忘れていないために表示するものであり、「ｓｃａｎ  ｔｏ  ＵＳＢ」を選択した場合、集積部３１に排紙された原稿１９の取り忘れしがちであるが、原稿１９を取り除いたということは、集積部３１に排紙された原稿１９はないので、原稿取り忘れ防止の表示を終了させてもよい。
【００５１】
（ＦＢ原稿取り忘れ防止処理）
図８は、ＦＢ原稿取り忘れ防止処理の流れを表すフローチャートである。図８と図９とを参照しながら、ＦＢ原稿取り忘れ防止処理について説明する。
【００５２】
まず、ＣＰＵ１０３は、ＣＰＵ１０３は、図７に示す「ＵＳＢメモリを取り除く前に原稿を取り除いて下さい」というメッセージを表示部１５に表示させ（Ｓ３０１）、読取面１１Ａに配置された原稿１９を原稿読取部４０に読み取らせるための開始を指示する開始指示があったか判断する（Ｓ３０２）。開始指示があったと判断した場合（Ｓ３０２：ＹＥＳ）、読取面１１Ａに配置された１枚の原稿１９を原稿読取部４０に読み取らせ、原稿読取部４０に読み取らせた画像データをＵＳＢメモリ８０に記憶させる１枚書き込み処理を行う（Ｓ３０３）。
【００５３】
次に、ＣＰＵ１０３は、次の原稿１９１を原稿読取部４０に読み取らせる要求があるか判断する（Ｓ３０４）。具体的には、ＣＰＵ１０３は、図９に示す「次の原稿はありますか？」といメッセージを表示部１５に表示させ、次の原稿１９１がある場合には、ユーザが「はい」を選択した場合、次の原稿１９１を原稿読取部４０に読み取らせる要求があると判断する（Ｓ３０４：ＹＥＳ）。一方、次の原稿１９１がない場合には、ユーザが「いいえ」を選択した場合、次の原稿１９１を原稿読取部４０に読み取らせる要求がないと判断する（Ｓ３０４：ＮＯ）。
【００５４】
次の原稿１９１を原稿読取部４０に読み取らせる要求がないと判断した場合（Ｓ３０４：ＮＯ）、ＣＰＵ１０３は、カバー検知センサ３５により読取カバー１２を開状態であるか判断する（Ｓ３０５）。続いて、ＣＰＵ１０３は、読取カバー１２が開状態であると判断した場合（Ｓ３０５：ＹＥＳ）、Ｓ３０１において表示部１５に表示させたメッセージの表示を終了し（Ｓ３０６）、ＦＢ原稿取り忘れ防止処理を終了する。
【００５５】
具体的には、ユーザが原稿１９を原稿読取部４０に読み取らせた後に読取カバー１２を開いたときは、ユーザが原稿１９を読取面１１Ａから取り除くために読取カバー１２を開いた可能性が高いので、メッセージの表示を終了させると、不要なメッセージ表示をいつまでも行わなくて済む。
【００５６】
一方、ＣＰＵ１０３は、読取カバー１２を閉状態であると判断した場合（Ｓ３０５：ＮＯ）、Ｓ３０１に戻るが、読取カバー１２が開かれるまでは、原稿１９が読取面１１Ａに配置されたままである可能性が高いので、読取カバー１２が開状態であると判断するまで（Ｓ３０５：ＹＥＳ）、待機することとなる。
【００５７】
また、Ｓ３０４において、ＣＰＵ１０３は、次の原稿１９１を原稿読取部４０に読み取らせる要求がある場合には（Ｓ３０４：ＹＥＳ）、読取カバー１２が開状態であるか判断し（Ｓ３０７）、読取カバー１２が開状態であると判断した場合（Ｓ３０７：ＹＥＳ）、次の原稿１９１が読取面１１Ａに配置されたとみなし、読取面１１Ａに配置された次の原稿１９１を原稿読取部４０に読み取らせるための開始を指示する開始指示があったか判断する（Ｓ３０８）。次の原稿１９１の読み取り開始指示があった場合（Ｓ３０８：ＹＥＳ）、Ｓ３０３に戻り、全ての原稿に対してＳ３０３〜Ｓ３０４を繰り返す。
【００５８】
尚、読取カバー１２が閉状態であると判断した場合（Ｓ３０７：ＮＯ）、読取カバー１２が開状態であると判断する（Ｓ３０７：ＹＥＳ）まで待機し、次の原稿１９１の読み取り開始指示がない場合（Ｓ３０８：ＮＯ）、次の原稿１９１の読み取り開始指示がある（Ｓ３０８：ＹＥＳ）まで待機する。
【００５９】
（第１の実施形態の効果）
本発明の第１の実施形態の読取装置によれば、ＣＰＵ１０３は、載置部検知センサ２４が原稿１９の存在することを検知し、接続検知部９５が接続部９０にＵＳＢメモリ８０が接続されていることを検知した場合に、図７に示す「ＵＳＢメモリを取り除く前に原稿を取り除いて下さい」といメッセージを表示部１５に表示させることで、原稿１９を取り除くことを勧告するので、ユーザはＵＳＢメモリ８０を接続部９０から取り外す際に、表示部１５に表示させたメッセージにより原稿１９の取り忘れに気づきやすくなり、原稿１９の取り忘れを防止することができる。
【００６０】
また、ＣＰＵ１０３は、集積部検知センサ３６が原稿１９の存在することを検知し、接続検知部９５が接続部９０にＵＳＢメモリ８０が接続されていることを検知している場合に、接続部９０からＵＳＢメモリ８０が取り外されると、スピーカー１６により警報音を報知させることで、原稿１９を取り除くことを勧告するので、ユーザは報知が行われている原因が集積部３１に存在する原稿１９を取り除いていないことにあると気づきやすくなり、原稿１９の取り忘れを防止することができる。
【００６１】
また、ＣＰＵ１０３は、載置部２１に原稿１９が載置され、かつ、接続部９０にＵＳＢメモリ８０が接続されている場合に、図７に示す「ＵＳＢメモリを取り除く前に原稿を取り除いて下さい」といメッセージを表示部１５に表示させるので、複合機１に原稿１９が存在する間は勧告処理が実行されることなり、ユーザの利便性が増す。
【００６２】
また、ＣＰＵ１０３は、勧告処理実行後に、原稿読取部４０が原稿１９を読み取る前に載置部２１に原稿１９が存在しないことを載置部検知センサ２４が検知した場合には、表示部１５にメッセージを表示させることを終了するので、不必要に表示部１５にメッセージを表示させないよう、表示部１５にメッセージを表示させることを終了させることとなり、ユーザの利便性が増す。
【００６３】
また、ＣＰＵ１０３は、読取カバー１２が開状態の場合に、表示部１５にメッセージを表示させることを終了するので、ユーザが読取カバー１２を開状態にすることによって、読取面１１Ａから原稿１９を取り除いたとみなした場合には、不必要なメッセージを表示部１５に表示させなくなり、ユーザの利便性が増す。
【００６４】
（第２の実施形態）
図１０は、第２のＡＤＦ原稿取り忘れ防止処理の流れを表すフローチャートである。図１０と図１１とを参照しながら、第１のＡＤＦ原稿取り忘れ防止処理と同様の処理については同じ番号を付して、適宜説明を省略しながら、第２のＡＤＦ原稿取り忘れ防止処理について説明する。
【００６５】
まず、原稿１９を原稿読取部４０に読み取らせるための開始を指示する開始指示があったか判断し（Ｓ４０１）、開始指示があった場合（Ｓ４０１：ＹＥＳ）、図７に示す「ＵＳＢメモリを取り除く前に原稿を取り除いて下さい」といメッセージを表示部１５に表示させる（Ｓ２０１）。一方、開始指示がなかった場合（Ｓ４０１：ＮＯ）、開始指示があるまでＳ４０１の判断を繰り返す。
【００６６】
次に、ＣＰＵ１０３は、原稿読取部４０に読み取らせた原稿１９の画像データにアクセス制限を付加する設定、例えばセキュアＰＤＦの設定がされているか判断する（Ｓ４０２）。ここで、セキュアＰＤＦとは、原稿読取部４０に読み取らせた画像データをＰＤＦ形式にしてＵＳＢメモリ８０に保存するときに、閲覧や印刷等の権限を設定できるタイプのＰＤＦや、パスワードを事前に登録しておき、ＰＤＦを開くときに事前に登録しておいたパスワードの入力を求めるタイプのＰＤＦをいう。具体的には、ユーザが開始指示をする前に、メニューキー１４Ｃを操作し、表示部１５に表示される複数の階層からなるメニューから選択して、セキュアＰＤＦの設定を行う。
【００６７】
ＣＰＵ１０３は、原稿読取部４０に読み取らせた原稿１９の画像データにアクセス制限を付加する設定がされていないと判断した場合（Ｓ４０２：ＮＯ）、載置部２１に載置された原稿１９の全部を原稿読取部４０に読み取らせ、原稿読取部４０に読み取らせた画像データをＵＳＢメモリ８０に記憶させる全書き込み処理を行う（Ｓ２０３）。
【００６８】
一方、ＣＰＵ１０３は、原稿読取部４０に読み取らせた原稿１９の画像データにアクセス制限を付加する設定がされていると判断した場合（Ｓ４０２：ＹＥＳ）、ＵＳＢメモリ８０をロックし（本発明の勧告処理の一例、Ｓ４０３）、Ｓ２０３に進む。つまり、集積部３１に原稿１９がある場合は、ＵＳＢメモリ８０が物理的にロックされるので、ＵＳＢメモリ８０が引き抜けないようにすることで、ユーザに集積部３１に原稿１９の取り忘れがあること注意喚起している。
【００６９】
ＵＳＢメモリを物理的にロックする機構としては、例えば、次のようなものがある。ＵＳＢメモリ８０のコネクタ（シリーズＡ）は、図１１に示すように、断面矩形のコネクタ部８１の平面内に２つの貫通穴８２、８３が設けられている。一方、図１２に示すように、ＭＦＰ１００側のＵＳＢメモリ８０の挿入口９０には、コネクタ部９１と、ＵＳＢメモリ８０の貫通穴８２、８３に嵌合可能な閂９２、９３（本発明の規制部の一例）と、閂９２、９３を駆動する駆動装置９４とが設けられている。閂９２、９３は，ＵＳＢメモリ８０が装着された状態で貫通穴８２、８３に抜き差し可能な方向に移動可能である。閂９２、９３は、ＵＳＢメモリ８０が未装着の際は、コネクタ部９１で囲まれた空域内に位置しないように、内部に隠れた状態である。そして、ＵＳＢメモリ８０が挿入口９０に挿入されると、図１３に示すように、閂９２、９３が貫通穴８２、８３に嵌合するように移動し、ＵＳＢメモリ８０のコネクタ部８１を固定する。これにより、ＵＳＢメモリ８０がＭＦＰ１００に物理的にロックされる。なお、本ロック機構は一例であり、これに限るものではない。
【００７０】
次に、ＣＰＵ１０３は、原稿読取部４０に読み取らせた原稿１９の画像データに機密事項を示すマーク、例えば、「マル秘」や「機密情報」等のマーク（本発明の特定のパターンの一例）のパターンが画像データにあるか判断し（Ｓ４０４）、原稿１９に機密事項を示すマークがないと判断した場合（Ｓ４０４：ＮＯ）、Ｓ２０４に進む。
【００７１】
一方、ＣＰＵ１０３は、原稿１９に機密事項を示すマークがあると判断した場合（Ｓ４０４：ＹＥＳ）、Ｓ４０３と同様に、ＵＳＢメモリ８０をロックし（Ｓ４０５）、Ｓ２０４に進む。
【００７２】
Ｓ２０４において、集積部３１の原稿１９が取り除かれたか判断し（Ｓ２０４）、集積部３１の原稿１９が取り除かれたと判断した場合には（Ｓ２０４：ＹＥＳ）、ＵＳＢメモリ８０のロックを解除する（Ｓ４０６）。具体的には、閂９２、９３が貫通穴８２、８３から外れ、ＵＳＢメモリ８０のロックが解除される。続いて、Ｓ２０１において表示させた集積部３１にある原稿１９の取り忘れの防止の表示を終了させ（Ｓ２０９）、第２のＡＤＦ原稿取り忘れ防止処理を終了する。
【００７３】
尚、ＣＰＵ１０３は、集積部３１の原稿１９が取り除かれていないと判断した場合には（Ｓ２０４：ＮＯ）、集積部３１の原稿１９が取り除かれるまで待機している。
【００７４】
（第２の実施形態の効果）
本発明の第２の実施形態の読取装置によれば、ＣＰＵ１０３は、原稿読取部４０によって読み取られた原稿１９の画像データにアクセス制限の付加や、「マル秘」や「機密情報」等の機密事項を示す特定のパターンが有ると判別した場合に、原稿１９を取り除くことを勧告する勧告処理を実行するので、画像データにアクセス制限を付加する原稿１９や、「マル秘」や「機密情報」等のマークを有する原稿１９の取り忘れに気づきやすくなり、原稿１９の取り忘れを防止することができる。
【００７５】
また、ＣＰＵ１０３は、ＵＳＢメモリ８０の貫通穴８２、８３に閂９２、９３を嵌合するように移動し、ＵＳＢメモリ８０のコネクタ部８１を接続部９０に固定するので、ユーザがＵＳＢメモリ８０を物理的にロックされる原因が集積部３１から原稿１９を取り除いていないためであると気づきやすくなり、原稿の取り忘れを防止することができる。
【００７６】
また、ＣＰＵ１０３は、接続部９０とＵＳＢメモリ８０とをＵＳＢメモリ８０の貫通穴８２、８３に閂９２、９３を嵌合するように移動し、ＵＳＢメモリ８０のコネクタ部８１を固定した後、集積検知部３６が原稿１９の存在しないことを検知した場合、ＵＳＢメモリ８０の貫通穴８２、８３から閂９２、９３を外すので、ユーザが原稿１９を取り除いているときはＵＳＢメモリ８０のロックを解除することとなり、ユーザの利便性が増す。
【００７７】
また、ＣＰＵ１０３は、原稿読取部４０によって読み取られた原稿１９の画像データにアクセス制限を付加するような重要度の高い読み取りを行う場合、又は、ユーザが原稿１９に「マル秘」や「機密情報」等の機密事項を示す特定のパターンが含まれる場合の少なくとも一方であるときに、ＵＳＢメモリ８０を物理的にロックするので、原稿１９を取り忘れることにより重要度の高い情報が流出する可能性がある重要度の高い原稿の取り忘れに気づきやすくなり、ユーザの利便性が増す。
【００７８】
（その他の実施形態）
（１）本発明の実施形態では、電子写真系の画像形成装置と読取装置とが複合された複合機の場合について説明したが、本発明はこれに限定されるものではなく、例えば複写機、インクジェットプリンタ、ＬＥＤプリンタ、ファクシミリ装置、印刷機あるいは他の機能を複合した複合機などの各種の画像形成装置に適用することが可能である。
（２）本発明の実施形態では、記憶媒体としてＵＳＢメモリを用いたものを示したが、本発明によれば、メモリカード等などその他の記憶媒体を用いてもよい。
（３）本発明の第１の実施形態では、ＣＰＵ１０３は、勧告処理として、集積部３１にある原稿１９の取り忘れを警報音で報知すること、及び、「ＵＳＢメモリを取り除く前に原稿を取り除いて下さい」というメッセージを表示部１５に表示させることの両方を行う実施形態であったが、ＣＰＵ１０３は、勧告処理として、集積部３１にある原稿１９の取り忘れを警報音で報知のみを行ってもよいし、また、「ＵＳＢメモリを取り除く前に原稿を取り除いて下さい」というメッセージを表示部１５に表示させることのみ行ってもよい。
また、集積部３１にある原稿１９の取り忘れを警報音で報知すること、及び、「ＵＳＢメモリを取り除く前に原稿を取り除いて下さい」というメッセージを表示部１５に表示させることのタイミングを入れ替えた実施形態であってもよい。例えば、Ｓ２０１とＳ２０６、Ｓ２０８とＳ２０９とを入れ替えた実施形態がある。
（４）本発明の第１の実施形態では、読取カバー１２が開いた状態であると判断した場合は（Ｓ１０５：ＹＥＳ）、読取面１１Ａに原稿１９が配置されているとみなして、ＦＢ原稿取り忘れ防止処理を実行していたが（Ｓ１０６）、他の実施形態であってもよい。例えば、２つある。
１つ目は、複合機１が、読取面１１Ａに原稿１９があるか光学センサで検出する原稿検知センサを備え、ＣＰＵ１０３は、原稿検知センサにより読取面１１Ａに原稿１９があると判断した場合に、ＦＢ原稿取り忘れ防止処理を実行する実施形態である。
２つ目は、ＣＰＵ１０３は、ユーザがスタートキー１４Ｂを押下する際に、載置部検知センサ２４により載置部２１に原稿１９があると判断した場合には、ＡＤＦ原稿取り忘れ防止処理を実行し、載置部検知センサ２４により載置部２１に原稿１９がないと判断した場合には、ＦＢ原稿取り忘れ防止処理を実行する実施形態である。このような実施形態にすると、上記原稿検知センサを備えない複合機においても適用ができる。
（５）本発明の第２の実施形態では、原稿読取部４０に読み取らせた原稿１９の画像データにアクセス制限を付加する設定の場合に（Ｓ４０２：ＹＥＳ）、ＵＳＢメモリ８０をロックする（Ｓ４０３）実施形態Ａと、原稿読取部４０に読み取らせた原稿１９の画像データに機密事項を示すマークのパターンが画像データにあるか判断した場合（Ｓ４０４：ＹＥＳ）に、ＵＳＢメモリ８０をロックする（Ｓ４０５）実施形態Ｂと、を実施形態Ａと実施形態Ｂとを両方実施する実施形態であったが、実施形態Ａのみを実施する実施形態や実施形態Ｂのみを実施する実施形態であってもよい。
【符号の説明】
【００７９】
５  原稿自動搬送装置
１１Ａ  読取面
１２  読取カバー
１９  原稿
２１  載置部  
２４  載置部検知センサ
３１  集積部
３５  カバー検知センサ
３６  集積部検知センサ
４０  原稿読取部
８０  ＵＳＢメモリ
９０  接続部
９５  接続検知部
１０３  ＣＰＵ
【図１】
0005257433.tif 000002
【図２】
0005257433.tif 000003
【図３】
0005257433.tif 000004
【図４】
0005257433.tif 000005
【図５】
0005257433.tif 000006
【図６】
0005257433.tif 000007
【図７】
0005257433.tif 000008
【図８】
0005257433.tif 000009
【図９】
0005257433.tif 000010
【図１０】
0005257433.tif 000011
【図１１】
0005257433.tif 000012
【図１２】
0005257433.tif 000013
【図１３】
0005257433.tif 000014